(57)【要約】【課題】ソースのホットスポットの位置ドリフトを解消する為の装置および方法を提供する。  【解決手段】赤外線発生によるホットスポットのドリフトを抑制するソースは、断熱性ハウジングと、電源と、第1および第2抵抗率を有する第1および第2抵抗要素と、第3抵抗率を有する第3抵抗要素とを備え、第3抵抗要素は第1抵抗要素と第2抵抗要素との間に配され、第3抵抗要素の抵抗率は第1および第2抵抗要素の抵抗率よりも大きい値を有する。別の構成では、第1および第2抵抗要素は、第3抵抗要素の断面積よりも大きい断面積を有する。IR照射ソースの照射要素におけるホットスポットのドリフトを抑制する方法は、定電力の矩形波ACソース又はクラスE増幅器により、電源から極性が一定で略一定の直流電流を印加し、24時間以内に極性を反転する。
2005534025.tif 000002
【特許請求の範囲】
【請求項１】
赤外線を発生する為のソースであって、前記赤外線ソースは、
絶縁性ハウジングと、
電流を伝えることのできる導電手段と、
それぞれ第1抵抗率および第2抵抗率を有する、少なくとも第1抵抗要素および第2抵抗要素と、
第3抵抗率を有する第3抵抗要素とを備え、
前記導電手段が、前記第1および第2抵抗要素と電気的に接続されて、前記導電手段と前記第1抵抗要素との間に少なくとも第1電気的結合を形成するとともに、前記導電手段と前記第2抵抗要素との間に少なくとも第2電気的結合を形成しており、
前記絶縁性ハウジングが、前記第1および第2電気的結合を周囲から絶縁するように配されており、
前記第1抵抗要素が前記第3抵抗要素に電気的に接続されており、
前記第2抵抗要素が前記第3抵抗要素に電気的に接続されており、
前記第3抵抗要素が前記第1抵抗要素と前記第2抵抗要素との間に配されており、前記第3抵抗要素の前記第3抵抗率が、前記第1抵抗要素の前記第1抵抗率および前記第2抵抗要素の前記第2抵抗率よりも大きい値を有する赤外線ソース。
【請求項２】
赤外線を発生する為のソースであって、前記赤外線ソースは、
絶縁性ハウジングと、
電流を伝えることのできる導電手段と、
それぞれ第1抵抗率および第2抵抗率を有する、少なくとも第1抵抗要素および第2抵抗要素と、
第3抵抗率を有する第3抵抗要素とを備え、
前記導電手段が、前記第1および第2抵抗要素と電気的に接続されて、前記導電手段と前記第1抵抗要素との間に少なくとも第1電気的結合を形成するとともに、前記導電手段と前記第2抵抗要素との間に少なくとも第2電気的結合を形成しており、
前記絶縁性ハウジングが、前記第1および第2電気的結合を周囲から絶縁するように配されており、
前記第1抵抗要素が前記第3抵抗要素に電気的に接続されており、
前記第2抵抗要素が前記第3抵抗要素に電気的に接続されており、
前記第3抵抗要素が、前記第1抵抗要素の端部および前記第2抵抗要素の端部に重なり、前記第3抵抗要素の前記第3抵抗率が、前記第1抵抗要素の前記第1抵抗率および前記第2抵抗要素の前記第2抵抗率と等しい値を有し、
前記第1抵抗要素が、前記第1抵抗要素の長手方向軸に直交する横断面積を有し、
前記第2抵抗要素が、前記第2抵抗要素の長手方向軸に直交する横断面積を有し、
前記第3抵抗要素が、前記第3抵抗要素の長手方向軸に直交する横断面積を有し、
前記第3抵抗要素の前記横断面積が、前記第1抵抗要素の前記横断面積および前記第2抵抗要素の前記横断面積よりも小さい赤外線ソース。
【請求項３】
前記第1抵抗要素の前記横断面積および前記第2抵抗要素の前記横断面積が、幅および厚さの寸法から成り、
前記第3抵抗要素の前記横断面積が、幅および厚さの寸法から成り、
前記第3抵抗要素の前記幅が、前記第1抵抗要素の前記幅および前記第2抵抗要素の幅よりも小さい請求項2に記載の赤外線ソース。
【請求項４】
前記第1抵抗要素の前記横断面積および第2抵抗要素の前記横断面積が、幅および厚さの寸法から成り、
前記第3抵抗要素の前記横断面積が、幅および厚さの寸法から成り、
前記第3抵抗要素の厚さが、前記第1抵抗要素の厚さおよび前記第2抵抗要素の厚さよりも小さい請求項2に記載の赤外線ソース。
【請求項５】
前記第1、第2および第3抵抗要素と、前記導電手段とが電気的に接続されており、
前記赤外線ソースが更に、前記導電手段に電気的に接続された電源を備えた請求項1に記載の赤外線ソース。
【請求項６】
前記第1、第2および第3抵抗要素と、前記導電手段とが電気的に接続されており、
前記赤外線ソースが更に、前記導電手段と電気的に接続された電源を備えた請求項2に記載の赤外線ソース。
【請求項７】
前記第3抵抗要素が、分光計の動作要件と合致する動作温度に関する熱時定数を特徴とし、
前記電源が、前記熱時定数の逆数よりも大きい周波数で、前記第3照射要素の両端にAC矩形波電圧を印加する請求項5に記載の赤外線ソース。
【請求項８】
前記第3抵抗要素が、分光計の動作要件と合致する動作温度に関する熱時定数を特徴とし、
前記電源が、前記熱時定数の逆数よりも大きい周波数で、前記第3照射要素の両端に周期電圧を印加する請求項6に記載の赤外線ソース。
【請求項９】
前記周期電圧が、略一定の振幅を有し、前記熱時定数の逆数よりも大きい周波数で前記第3照射要素の両端に印加される電圧である請求項8に記載の赤外線ソース。
【請求項１０】
前記周期電圧が、前記熱時定数の逆数よりも大きい周波数で前記第3照射要素の両端に印加されるAC矩形波電圧である請求項9に記載の赤外線ソース。
【請求項１１】
前記電源が、前記導電手段と電気的に接続されたクラスE増幅器である請求項5に記載の赤外線ソース。
【請求項１２】
前記クラスE増幅器が、略一定した電力を出力する請求項11に記載の赤外線ソース。
【請求項１３】
前記電源が、前記導電手段と電気的に接続されたクラスE増幅器である請求項6に記載の赤外線ソース。
【請求項１４】
前記クラスE増幅器が、略一定した電力を出力する請求項13に記載の赤外線ソース。
【請求項１５】
前記第1、第2および第3抵抗要素のうちの少なくとも1つが、直線形状の横断面および曲線形状の横断面の少なくとも一方を有する請求項1に記載の赤外線ソース。
【請求項１６】
前記横断面が、矩形、円形、楕円形、および矩形以外の多角形のうちの少なくとも1つである請求項15に記載の赤外線ソース。
【請求項１７】
赤外線照射ソースの照射要素におけるホットスポットのドリフトを抑制する方法であって、
前記照射要素が電源と電気的に接続されており、前記方法は、
(a) 24時間未満の周期の間、極性が一定で、略一定の直流電流を前記電源から前記照射要素に印加する工程と、
(b) 次の直流電流印加のために、前記照射要素への直流電流の極性を反転する工程であって、当該極性の反転が特定の周波数fpsで行われる工程とを備える方法。
【請求項１８】
前記反転周波数fpsが、24時間に1回より多く、前記照射要素により発せられるIR線を用いたフーリエ変換赤外線分光計による1回の走査継続時間に1回よりも少ない請求項17に記載の方法。
【請求項１９】
FTIR分光計により走査されるサンプルが、特定の変調周波数fmで、少なくとも1つの信号を発生し、
前記周波数が、前記反転周波数fpsに由来する最大周波数要素よりも大きい請求項18に記載の方法。
【請求項２０】
前記抵抗要素が、分光計の動作要件に合致する動作温度に関する熱時定数を特徴とし、
(c1) 電源の極性反転周波数fpsを適用する工程であって、この周波数が前記照射ソース要素の熱時定数τeの逆数よりも大きい工程
により、前記時間が選択される請求項18に記載の方法。
【請求項２１】
前記電源の反転周波数が、104回のオーダーであるかまたは、前記熱時定数の逆数よりも大きい請求項20に記載の方法。
【請求項２２】
前記抵抗要素が、分光計の動作要件に合致する動作温度での熱時定数を特徴とし、
(c1') 前記電源の極性反転周波数fpsを適用する工程であって、前記赤外線ソースによる照射時の周波数であって、FTIR走査を行う周波数領域から外れるような周波数が、前記照射ソースの熱時定数τeから与えられるようにする工程
により前記周波数が選択される請求項18に記載の方法。
【請求項２３】
前記照射ソース要素が、分光計の動作要件と合致する動作温度での熱時定数を特徴とし、
前記電源が、前記熱時定数の逆数よりも大きい周波数で、前記照射ソース要素の両端に周期電圧を印加する請求項17に記載の方法。
【請求項２４】
前記周期電圧が、一定の振幅を有し、前記熱時定数の逆数よりも大きい周波数で前記照射ソース要素の両端に印加される電圧である請求項23に記載の方法。
【請求項２５】
前記周期電圧が、前記熱時定数の逆数よりも大きい周波数で前記照射ソース要素の両端に印加されるAC矩形波電圧である請求項23に記載の方法。
【請求項２６】
前記電源が、クラスE増幅器である請求項17に記載の方法。
【請求項２７】
前記クラスE増幅器が、略一定の電力を出力する請求項26に記載の方法。
【発明の詳細な説明】
【背景技術】
【０００１】
赤外線分野における分光学的調査研究によく用いられる照射ソースは、適当な電気抵抗材料で形成されたロッド形状をとる。この電気抵抗材料は、その端から端に電流が通じて温度が上昇すると、分光計の設計分光範囲内の赤外線連続スペクトルを発する。かかるソースの輝度は、その中心点付近が最も高く、その両側方で、略対称形に端部の両電極に向かって低下してゆく。
【０００２】
両電極からの熱負荷による影響は、比較的長いロッドを用い、両電極から離れた小さな中間部を実効ソースとすることにより、最小限に抑えることができる。だが、この方法を許容限度で実施しても、ソースはやはり中心のホットスポットからの損傷を受ける。
参考文献の巻き線ソース要素は、ワイヤが焼切れて故障するという事態をもたらすような高温で金属ワイヤが酸化する為、その寿命は非常に短い。
【０００３】
大型の点火要素は通常、約100ワットの電力を必要とするが、分光学的用途に関しては、分光計の構成要素に入射するパワーを制限する為の小さな開口部を備えた水冷式ハウジング内に密閉する必要がある。
Norton 301（現在、Saint-Gobain Advanced Ceramics, Inc., New Milford, New Hampshire 03055）等の小型の点火装置の必要電力は通常、20ワット未満であり、分光計光学素子により感知される開口部を区画した絶縁性ハウジングに収容して使用することができ、水冷装置は通常不要とする。
【０００４】
図1に示すように、従来のIRソース100は、リード線102、104を取囲む絶縁性ハウジング108を有する。これらのリード線は、DC電源又は駆動ソース106に電気的に接続されて電力供給され、リード線102は接地されるか又はマイナス接続され、リード線104はプラス接続される。リード線102、104はそれぞれ接点122、124で、抵抗要素に電気的に接続される。抵抗要素は、2本の支持レッグ112、114と照射部つまり照射要素116とで構成される。照射要素116は、支持レッグ112、114よりも高い抵抗を持つように製造される。このような構成は、駆動電流による支持レッグ112、114内の電力放散を少なくすると同時に、照射要素116の熱を、それよりも遥かに温度の低い支持レッグ112、114に伝わらないようにする。したがって、支持レッグ114は、直流電源106のプラス(+)極に接続され、支持レッグ112は、直流電源106のマイナス(-)極に接続される。
【０００５】
非常に安定した出力を得るには、ソース100を、適切に調整した電流で駆動して、直流電源106を精度の高い電力供給源とする必要がある。
分光計の最適動作を得る為には、ソースからの照射を集光する光学素子は、ソースの高温スポットのみにフォーカスするように設計される。さもなくば、分光計の視野を照射する際の実効温度は、全観察部におけるソース温度の平均となってしまう。
図1に示すように、支持レッグ112、114は、略対称形に作られ、最高温部であるホットスポット118は、照射要素116内において2つの支持レッグ112,114の中間に位置する。
【０００６】
これらの要素の大部分において、ホットスポット118は動作寿命に応じて移動する。つまり、まず、プラス極要素114に沿う方向の上流の位置に移動し、それから数千時間の動作後（その要素の寿命まで十分な時間が残る）、更に上流の位置に移動する。高性能分光計については、光学素子はソース要素のホットスポットのみにフォーカスする。したがってドリフトが生じると、最高性能を維持する為に光学的位置合わせを定期的に調整する必要がある。これは、ユーザーにとって受け入れ難いことである。別の構成では、分光計の光学素子がソース要素のより広い部位から光を集光するようになっているが、ソースの実効温度がずっと低くなる為、分光計の感度が低下する。
【０００７】
図1に示すように、ソース要素100は、照射要素116の略中央にホットスポット118を限定するように、抵抗率の異なる複数材料を用いて構成される。ホットスポットのドリフトの問題が起こるのは、照射要素116を高温にする為に直流電流を通じた時である。高電流と高温とが相まって、高抵抗部をプラスの支持レッグ114側へ移動させる。
上述した問題のより良い解決策は、ソースのホットスポットの位置ドリフトを解消する方法を提供することである。
【特許文献１】米国特許第４，９３５，６３３号明細書
【発明の開示】
【発明が解決しようとする課題】
【０００８】
本発明は、ソースのホットスポットの位置ドリフトを解消する為の装置および方法を提供する。
【課題を解決するための手段】
【０００９】
本発明の目的は赤外線(IR)を発生する為のソースであって、前記IRソースは、絶縁性ハウジングと、電流を伝えることのできる導電手段と、それぞれ第1抵抗率および第2抵抗率を有する、少なくとも第1抵抗要素および第2抵抗要素と、第3抵抗率を有する第3抵抗要素とを備える。前記導電手段は、前記第1および第2抵抗要素と電気的に接続されて、前記導電手段と前記第1抵抗要素との間に少なくとも第1電気的結合を形成するとともに、前記導電手段と前記第2抵抗要素との間に少なくとも第2電気的結合を形成している。前記絶縁性ハウジングは、前記第1および第2電気的結合を周囲から絶縁するように配されている。前記第1抵抗要素は前記第3抵抗要素に電気的に接続され、前記第2抵抗要素は前記第3抵抗要素に電気的に接続され、前記第3抵抗要素は前記第1抵抗要素と第2抵抗要素との間に配されており、前記第3抵抗要素の前記第3抵抗率は、前記第1抵抗要素の前記第1抵抗率および前記第2抵抗要素の前記第2抵抗率よりも大きい値を有する。
【００１０】
本発明の第2実施形態において、赤外線(IR)を発生する為のソースは、絶縁性ハウジングと、電流を伝えることのできる導電手段と、それぞれ第1抵抗率および第2抵抗率を有する、少なくとも第1抵抗要素および第2抵抗要素と、第3抵抗率を有する第3抵抗要素とを備える。前記導電手段が、前記第1および第2抵抗要素と電気的に接続されて、前記導電手段と前記第1抵抗要素との間に少なくとも第1電気的結合を形成するとともに、前記導電手段と前記第2抵抗要素との間に少なくとも第2電気的結合を形成している。前記絶縁性ハウジングは、前記第1および第2電気的結合を周囲から絶縁するように配されており、前記第1抵抗要素は前記第3抵抗要素に電気的に接続され、前記第2抵抗要素は前記第3抵抗要素に電気的に接続されている。前記第3抵抗要素は、前記第1抵抗要素の端部および前記第2抵抗要素の端部に重なり、前記第3抵抗要素の前記第3抵抗率は、前記第1抵抗要素の前記第1抵抗率および前記第2抵抗要素の前記第2抵抗率と等しい値を有する。前記第1抵抗要素は、前記第1抵抗要素の長手方向軸に直交する横断面積を有し、前記第2抵抗要素は、前記第2抵抗要素の長手方向軸に直交する横断面積を有し、前記第3抵抗要素は、前記第3抵抗要素の長手方向軸に直交する横断面積を有する。前記第3抵抗要素の前記横断面積は、前記第1抵抗要素の前記横断面積および前記第2抵抗要素の前記横断面積よりも小さい。前記第1抵抗要素、前記第2抵抗要素および前記第3抵抗要素の前記横断面積は、幅および厚さの寸法から成る。前記第3抵抗要素の幅は、前記第1抵抗要素および前記第2抵抗要素の幅よりも小さい。別の構成では、前記第3抵抗要素の厚さは、前記第1抵抗要素および第2抵抗要素の厚さよりも小さい。
【００１１】
前記第1、第2および第3抵抗要素のうちの少なくとも1つは、直線形状および曲線形状の少なくとも一方を有する。前記横断面は、矩形、円形、楕円形、および矩形以外の多角形のうちの少なくとも1つである。
前記第1、第2および第3抵抗要素と前記導電手段とは電気的に接続されているので、前記IRソースは更に、前記導電手段と電気的に接続された電源を備えている。前記第3抵抗要素は、分光計の動作要件と合致する動作温度に関する熱時定数を特徴とし、前記電源は、前記熱時定数の逆数よりも大きい周波数で、前記第3照射要素の両端にAC矩形波電圧を印加する。前記電源を、通常略一定の電力を出力するように、前記導電手段と電気的に接続されたクラスE増幅器とすることもできる。
【００１２】
本発明はまた、赤外線(IR)照射ソースの照射要素におけるホットスポットのドリフトを抑制する方法を指向とする。前記照射要素は、電源と電気的に接続されている。前記方法は、(a) 24時間未満の周期の間、前記電源から極性が一定で、略一定の直流電流を前記照射要素に印加する工程と、(b) 次の直流電流印加のために、前記照射要素への直流電流の極性を反転する工程であって、当該極性の反転が特定の周波数fpsで行われる工程とを備える。前記反転周波数fpsは、毎24時間に1回より多く、前記照射要素により発せられるIR線を用いたフーリエ変換赤外線(FTIR)分光計による1回の走査継続時間に1回よりも少ない。FTIR分光計により走査されるサンプルは、特定の変調周波数fmで、少なくとも1つの信号を発生し、前記周波数は、前記反転周波数fpsに由来する最大周波数要素よりも大きい。前記抵抗要素は、分光計の動作要件に合致する動作温度に関する熱時定数を特徴とし、前記周期は、更に、(c1) 電源の極性反転周波数fpsを適用する工程であって、この周波数は、照射ソース要素の熱時定数τeの逆数よりも大きい工程により選択される。前記電源の反転周波数は、104回のオーダーであるかまたは、前記第3抵抗の熱時定数の逆数よりも大きい。別の方法として、前記周波数は、更に、(c1') 電源の極性反転周波数fpsを適用する工程であって、前記IRソースによる照射時の周波数であって、FTIR走査を行う周波数領域から外れるような周波数が、照射ソースの熱時定数τeから与えられるようにする工程により選択される。前記電源は、前記熱時定数の逆数よりも大きい周波数でAC矩形波電圧を、前記第3照射要素の両端に印加する。別の方法として、前記電源は、一定の振幅と周波数fpsとを有する周期電圧を与える。
【００１３】
別の方法は、周波数fpsで略一定の電力を出力するクラスE増幅器を前記電源とする。
【発明を実施するための最良の形態】
【００１４】
本発明の第1実施形態を図2に示す。リード線102、104は、電源206に電気的に接続されているとともに、それぞれ接点222、224で支持レッグ212、214にも接続されている。高抵抗領域は、IRソース200の上部にある照射要素216の中心に限定されている。この構成はホットスポット218のドリフトを抑制する。というのは、隣接する支持レッグ212、214における抵抗が低い為に、ホットスポット218の隣接部分の温度が低くなるからである。
【００１５】
図3A-1および図3A-2は、本発明の第2実施形態を示す。ここでは、IRソース230の支持レッグ232、234は、照射要素236の幅W1よりも広い幅W2を有するように構成される。通常は、支持レッグ232、234の厚さtと照射要素236の厚さtとは同じである。図3A-1に示すように、厚さtは、幅W1又はW2よりも小さく、通常1mm程度である。したがって、断面積A1(=W1×t)は、断面積A2(=W2×t)よりも小さくなる。この構成では、支持レッグ232、234の抵抗率は、照射要素236の抵抗率と等しくすることができる。したがって断面積の差故に、この構成では、角部240、242も含むレッグ232、234の電流密度は、照射要素236の電流密度よりも低くなる。したがって、ホットスポット238隣接部の温度は低くなって、ドリフトが抑制される。
【００１６】
図3B-1、図3B-2および図3B-3は、図3Aに示す本発明の第2実施形態の変形例を示す。図3B-1は上面図、図3B-2は背面図、図3B-3は側面図である。この変形例においては、照射要素支持レッグ232'、234'は、照射要素236'の厚さt1よりも大きい厚さt2を有する。したがって、たとえW1=W2であっても、断面積A2' (=W2×t2)は、断面積A1' (=W1×t1)を有する照射要素236'の中心部の断面積よりも大きくなる。支持レッグ232'、234'の抵抗率は、照射要素236'の抵抗率と同じかそれ以下であるので、ここでも、支持レッグ232'、234'の電流密度は、照射要素236'の電流密度よりも低くなる。
【００１７】
通常は、照射要素232、234、236および232'、234'、236'の断面は矩形であるが、断面形状は、円形や、楕円形や、正方形や、その他の多角形等、他の直線又は曲線形状とすることができる。
ホットスポットのドリフトを抑制する方法において、電源206から出て照射要素216又は236を通る直流電流の向きは、ホットスポット218又は238のドリフトを均等にする為に変えられる。
【００１８】
FTIR分光計に使用するIRソースにおいて、干渉計による走査の終わる度に、又はそれよりも長い周期で、図2、図3A-1〜図3B-3に示す電源206からの直流電流の向きを反転し、各走査時の安定した電流を維持する。その最大周期は通常、24時間未満としなければならない。さもなくば、電流法や材料の使用では覆せないようなホットスポットのドリフトが始まる。
【００１９】
電流の向きは、分光計信号の対象の最高電気周波数よりも高い周波数fpsを用いて、反転させるのが好適である。対象の電気周波数は、干渉計への一定量の入射光からのエネルギーの変調周波数fmである。また、照射ソース要素の熱時定数τe (sec)の逆数よりも遥かに大きい、電源極性反転周波数fps(sec-1)を適用することにより、ソース要素の熱時定数のフィルター効果を利用することができる。この方法では、ソース照射にACリップルが生じるが、このリップルは、電源周波数fpsであるリップル周波数での分光計信号におけるノイズレベルに関しては、検出不可能であり、無視できる。また、アンダーサンプリングフォールディングが可能な場合でも、リップル周波数は、対象周波数から外れる。ソースを駆動する電圧のサイクル周期の間、IRソースの照射要素の温度が下がることが、当業者には分かる。したがって、電源極性反転周波数、つまりfpsは、照射ソース要素の熱時定数τe の逆数より遥かに大きくなるようなものが選ばれて、IRソース照射要素の有意な温度低下を最小限にとどめる。電源反転周波数は通常、104回のオーダーであるかまたは、ソースの熱時定数の逆数より大きい。
【００２０】
これらの実施形態の駆動回路つまり電源206は、これのみには限定されないが、引用により本出願書に組み込まれる、Curbelo et alの上記特許文献１に記載の駆動装置とすることができる。この駆動装置は、上記のように選択された電源動作周波数fpsを有する。この場合、IRソース200は、AC波形のピークからピークの電圧Vppの定振幅で動作して、AC矩形波電圧を形成する。ソース抵抗が経時変化で増加すると、ソースのIR出力の低下が生じうる。
【００２１】
図4（図4Aおよび図4B）は、駆動回路の別の実施形態を示す。この回路は、上記のように選択された定周波数fps'で駆動されるクラスE増幅器であるのが好適である。図4に示すクラスE増幅器は、定電圧を出力する場合とは対照的に、大体一定のパワーを出力する。ただし、通常は、ソース寿命を短くする恐れがある。
以上、具体的な実施形態を挙げて、本発明を説明した。上述の説明を考察すると、当業者には、他の実施形態も明らかとなろう。本発明は、添付された特許請求の範囲の記述およびその均等物の全範囲の記述を除いて、限定されないこととする。
【図面の簡単な説明】
【００２２】
【図１】FTIR分光計の為の従来のIRソースの正面図である。
【図２】本発明の第1実施形態の正面図である。
【図３Ａ−１】本発明の第2実施形態の正面図である。
【図３Ａ−２】図3A-1に示す本発明の第２実施形態の側面図である。
【図３Ｂ−１】図3A-1および図3A-2に示す本発明の第2実施形態の変形例の上面図である。
【図３Ｂ−２】図3B-1に示す本発明の第2実施形態の変形例の背面図である。
【図３Ｂ−３】図3B-1に示す本発明の第2実施形態の変形例の側面図である。
【図４Ａ】図3A-1〜図3B-3に示す本発明の電源のタイプを示す図である。
【図４Ｂ】図3A-1〜図3B-3に示す本発明の電源のタイプを示す図である。
【図１】
2005534025.tif 000003
【図２】
2005534025.tif 000004
【図３Ａ−１】
2005534025.tif 000005
【図３Ａ−２】
2005534025.tif 000006
【図３Ｂ−１】
2005534025.tif 000007
【図３Ｂ−２】
2005534025.tif 000008
【図３Ｂ−３】
2005534025.tif 000009
【図４Ａ】
2005534025.tif 000010
【図４Ｂ】
2005534025.tif 000011
【国際調査報告】
2005534025.tif 000012